(57)【特許請求の範囲】
【請求項１】
ピースの裏地に、全体構成図と部位を示す記号とそのピースの各縁の実寸が明記されており、ピースの端部に、こはぜ、こはぜ掛け、フック、ホック、ボタン、ボタンホール、はとめ、面ファスナー、あるいは、凸部と凹部を嵌合させたり、スライドすることにより接合するものを有するテープが付いていることを特徴とする衣服用ピース。
【発明の詳細な説明】
【技術分野】
【０００１】
この出願発明は、新しい衣服用ピースおよび衣服用ピースが接合されている衣服に関する。
この出願発明で、衣服用ピースとは、図面に示すように、衣服を細分化したものをいう。
【背景技術】
【０００２】
これまで、衣服は上着、パンツ、スカート、セーター、カーディガン、あるいはベストなどを組み合わせて着用することで、それぞれのファッションに変化を持たせている。しかし、これらを組み合わせて着用することによる自己表現は限られるものであって、組み合わせによる着用は大きな変化を生むことはできず、そのたびに新しいデザインの衣服を作成、もしくは購入しなくてはならなかった。衣服は縫製やパターン技術により作成されるもので、誰もが衣服を簡単に作成できるわけではなかった。（特開平７−１６６４０４、特開平１１−２８６８１７）
これまでに衣服を、袖やフードといった部位ごとに分割して着用できるものはあったが、その部位の着脱は、完成された衣服デザインに属するオプションであって、その衣服デザインから離脱できるものではなく、衣服がその個体としてデザインの自由度を持つということはなかった。
【特許文献１】特開平７−１６６４０４
【特許文献２】特開平１１−２８６８１７
【発明の開示】
【発明が解決しようとする課題】
【０００３】
この出願発明は、各個人の好みにより、誰でも簡単に好みの衣服を作製するためのピースに関するものであり、ピースをジグソーパズルのように組み合わせることにより、それぞれの好みにあった衣服を作製できるピースの端部に接合部を有するテープが付いている衣服用ピースを提供することを目的とする。
【課題を解決するための手段】
【０００４】
この出願発明は、ピースの裏地に、全体構成図と部位を示す記号とそのピースの各縁の実寸が明記されており、ピースの端部に、こはぜ、こはぜ掛け、フック、ホック、ボタン、ボタンホール、はとめ、面ファスナー、あるいは、凸部と凹部を嵌合させたり、スライドすることにより接合するものを有するテープが付いている衣服用ピースに関する。
【発明の効果】
【０００５】
この出願発明のピースを組み合わせて接合することにより、それぞれの好みにあった衣服を誰でも簡単に作製できる。
子供用は成長にしたがって、構成するピースのサイズや実寸を参考に、徐々に取り替えて微調整していくこともでき、また、大人用についても、裾上げや、袖丈つめといった、細部のサイズの微調整を、構成するピースのサイズや実寸を参考にして、簡単に行うことができるので、これまでのように既製品をリフォームしなくてはならなかったのに対し、個々に合わせたオーダーメイドが簡単に実現できる。
また、布、皮革、毛皮、鳥の羽、合成繊維、毛、綿、絹、プラスティック、メタル等の素材をピースに採用することにより、たとえば、膝、肘などの強度の必要なところだけに強度のある素材を使用し、強度の必要でないところには、他の素材を使用することができ、布、皮革、毛皮、合成繊維、毛、綿、絹、プラスティック、メタル等のいろいろな素材を組み合わせて衣服を作製することができる。
したがって、皮など手入れが困難な素材であっても、使用後に各ピースごとに分解できるので、それぞれの素材にあったクリーニングができる。
また、色、柄など自由に選択できるので、強調したい部分に、自由に色、柄を選択して使用し、あるいは、金属、プラスチックなどの目立つ素材を使用して思い切ったデザインの衣服を作製することができる。
使用後に各ピースごとに分解できるので、洗濯するときに、色物と色物でないもの、絹、毛、木綿などの素材を分けることなどにより、簡単に洗濯をすることができる。
衣服を各ピースごとに分解して保管できる上、ピース構成のみで多様なファッションを楽しむことができるので、これまでのようにファッションのため多くの衣類を必要とすることはなく、クローゼットなどの収納場所を効率的に利用することができる。
さらに、消耗しやすいピースの場合には、そのピースだけを交換して廃棄すればよく、衣服全体を廃棄しなくてよいので、省資源の上からも優れた効果がある。
【発明を実施するための最良の形態】
【０００６】
この出願発明の衣服用ピースは、図面に示すように、ピースの端部に接合部を有するテープにより接合するものであり、図面に示すように、細分化された左右の前身頃、左右の後身頃、図面に示すように細分化された袖、図面に示すように細分化されたパンツ、図面に示すように細分化されたスカートがとくに好ましく、それぞれのピースのすべての端部に、接合部を持つテープが取り付けられることがとくに好ましい。
このようにすることにより、独創性のある衣服を誰でも簡単に作製することができる。
【０００７】
ピースの接合は、どのように接合してもよいが、テープを重ねて接合する場合は、首から遠い方のピースのテープが、首に近い方のピースのテープの上に重なるように接合することがとくに好ましい。
また、横に重ねて接合する場合は、前中心合わせについては、通常の男女のシャツの合わせ方と同じように、女性用は右の身頃が上に重なり、男性の場合は、左の身頃が上に重なるように接合することが好ましい。
中心から離れるに従い、中心寄りのピースが中心より遠いピースの下に重なるようにすることが好ましい。
また、サイドの重なる部分については、後身頃が上に重なるように接合することが好ましい。
このように接合することにより、スムーズな動きの衣服を作製することができる。
また、衣服の端部のテープはそのままでもよいし、折り返してもよい。
衣服の端部には、装飾テープを付けることができる。
ピースを上下に重ねて接合する場合は、首から遠いピースのテープは、ピースの表側端部あるいは裏側端部に取り付け、首から近いピースのテープは、ピースの裏側端部あるいは表側端部に取り付ける。
【０００８】
接合部を有するテープとしては、こはぜ、こはぜ掛け、フック、ホック、ボタン、ボタンホール、はとめ、面ファスナー、あるいは、凸部と凹部を嵌合させたり、スライドすることにより接合するものなどを取り付けたものが好ましい。
また、テープの接合部と接合するものとしては、ピースの裏側にそれらの接合部と接合できるこはぜ、こはぜ掛け、フック、ホック、ボタン、ボタンホール、はとめ、面ファスナーなどを取り付けたり、こはぜ、こはぜ掛け、フック、ホック、ボタン、ボタンホール、はとめなどを取り付けたテープを接合するピースに取り付ける。
また、ボタンホールやはとめを利用して紐により編み上げて接合することもでき、ボタンホールとボタンホールをそのまま金具等で留めてもよい。
これらの接合部は、たとえば、ボタンとこはぜ等多種のものを併用することができる。
面ファスナーは、そのまま付けてもよいが、面ファスナーを短く切断して間隔を開けて、たとえば、３ｃｍの面ファスナーを１ｃｍ間隔に取り付けることもできる。このようにすることにより接合部に柔軟性を与えることができる。
テープは、どのような素材でも良いが、たとえば、ストレッチ性のある布素材が好ましく、また、テープ全体を、凸部と凹部を嵌合させたり、スライドすることにより接合する場合は、シリコンゴム、プラスティック等の柔らかな素材が好ましい。
ピースの接合は、たとえば、図１８に示すように、ピースの上に接合部を有するテープを付けたピースとピースの下に接合部を有するテープを付けたピースとを重ねて接合してもよいし、ピースの端部に付けた接合部を有するテープとピースの端部に付けた接合部を有するテープとをそのまま接合してもよい。
【０００９】
この出願発明は、図面に示すように、上着、パンツ、スカート、袖などの記号を入れた全体構成図を作製しておくことが好ましい。
このようにすることにより、それぞれ好みのピースを接合するときに、どのような接合が可能かどうかということを予め予測することができる。
【００１０】
この出願発明のピースは、接合しやすいように、それぞれのピースの裏地に全体構成図と、その部位を示す記号と、そのピースの各縁の実寸の長さを明記しておくことが好ましい。
また、接合されるピースの左右上下に接合するピースの記号を、接合されるピースの左右上下に付けることもできる。
このようにすることにより、誰でも容易にピースを接合して衣服を作製することができる。
【００１１】
上着は、たとえば、図１に示すように左右の前身頃はＦＲ、ＦＬと、左右の後身頃ＢＲ、ＢＬによりなるが、それぞれはさらに細分化されたピースを接合することにより作製する。
これらのピースは、色、柄、素材を変えることにより様々なバリエーションの上着とすることができる。
なお、Ｆは前を、Ｂは後ろを、Ｒは右を、Ｌは左を、Ｓは横の部分をそれぞれ意味する。
【００１２】
袖は、図２に示すように構成されるが、それぞれは、さらに細分化されたピースを接合することにより作製する。
これらのピースは、色、柄、素材を変えることにより様々なバリエーションの上着とすることができる。
Ｓは袖を意味する。
【００１３】
パンツは、図３に示すように構成されるが、それぞれは、さらに細分化されたピースを接合することにより作製する。
これらのピースは、色、柄、素材を変えることにより様々なバリエーションの上着とすることができる。
Ｐはパンツを意味する。
【００１４】
スカートは、図４に示すように構成されるが、それぞれは、さらに細分化されたピースを接合することにより作製する。
これらのピースは、色、柄、素材を変えることにより様々なバリエーションの上着とすることができる。
Ｋはスカートを意味する。
【００１５】
この出願発明のピースは、図１８、１９に示すように、ピースの端部に接合部を有するテープが付いているものであり、接合部としては、こはぜ、こはぜ掛け、フック、ホック、ボタン、ボタンホール、はとめ、面ファスナーなどが好ましい。また、これらは併用することができる。
【実施例】
【００１６】
以下、実施例によって、この出願発明を具体的に説明するが、この出願発明はこれらの実施例に限定されるものではない。
図１は、上着の模式図であり、図２は、袖の模式図であり、図３は、パンツの模式図であり、図４は、スカートの模式図であり、図５は、この出願発明のピースを接合した上着であり、図６は、この出願発明のピースを接合した他の上着であり、図７は、この出願発明のピースを接合した他の上着であり、図８は、この出願発明のピースを接合した他の上着であり、図９は、この出願発明のピースを接合した他の上着であり、図１０は、この出願発明のピースを接合した袖であり、図１１は、この出願発明のピースを接合した他の袖であり、図１２は、この出願発明のピースを接合したパンツであり、図１３は、この出願発明のピースを接合した他のパンツであり、図１４は、この出願発明のピースを接合した他のパンツであり、図１５は、この出願発明のピースを接合したスカートであり、図１６は、この出願発明のピースを接合した他のスカートであり、図１７は、この出願発明の上着とスカートを接合したワンピースであり、図１８は、この出願発明のピースの接合を示す平面および側面の模式図であり、図１９は、この出願発明のピースの他の接合を示す平面および側面の模式図であり、図２０は、この出願発明のピースを接合した上着の模式図であり、１はピースを、２は接合部を有するテープをそれぞれ示す。
【００１７】
実施例１
図５で示すように、ボタンあるいはボタンホールのある接合テープが周囲についた（図２０参照／黒い部分がテープ）前身ごろのＦＲ２の上にＦＬ３を、その上にＦＬ４を接合し、このようして作製した右前身ごろと左前身ごろを中心で男女の別に従い、重ねて接合して、前身ごろを作製する。
なお、通常の男女のシャツの合わせ方と同じように、女性用は右の身頃が上に重なり、男性の場合は左身頃が上に重なる。
同様にボタンあるいはボタンホールのある接合テープが周囲に付いた（図示せず）後身頃のＢＲ２、ＢＲ３、ＢＲ４、ＢＬ２、ＢＬ３、ＢＬ４を接合して後身頃を作製する。
このようにして作製した前身頃と後身頃を後身頃が上に重なるように接合してノースリーブの上着を作製する。
同様にして、図６〜９の上着あるいはベストを作製する。
また、前身頃と、後身頃を適当に選択することにより、前後でデザインの違う形の衣服を楽しむこともできる。
【００１８】
実施例２
図１０に示すように、こはぜあるいはこはぜ掛けのある接合テープが周囲に付いた（図示せず）ＳＲ３とＳＲ４とＳＲ２を接合して右袖とし、こはぜあるいはこはぜ掛けのある接合テープが周囲に付いた（図示せず）ＳＬ３とＳＬ４とＳＬ２を接合して左袖とする。
この袖は実施例１で示したように、必要に応じて上着に接合することにより、袖のある上着を作製する。
同様にして、図１１に示す袖を作製する。
また、すべてのピースがゴムを使用したシャーリングを施した生地にしたりすると、同じピースであっても、違う印象の袖にすることができる。
このように、ピース単体にも無限のデザインを与えられるので、衣服デザインを多様化することができる。
また、通常の肘当てにあたる部分のデザインと肘の内側に当たる部分にデザインがあり、ＳＲ２０・ＳＲ２１のどちらも外すと、通常の袖とは違い、肘の曲がる部分表と後に穴の開いた袖にすることができる。
ＳＲ２０だけを外すと、内側に曲がるほうだけ穴があいたデザインとなり、機能的にも、デザイン的にも優れた袖を作製することができる。
また、左右の袖で、左の袖は、ＳＬ２１（肘  外側）を外し、ＳＬ２０（肘  内側）と接合し、右の袖はその逆を、ＳＲ２１（肘  外側）を接合し、ＳＲ２０（袖  内側）をはずすというような  左右非対称のファッションを楽しむこともできる。
【００１９】
実施例３
図１２に示すように、ボタンあるいはボタンホールのある接合テープが周囲に付いた（図示せず）ＰＦＲ２、ＰＦＲ３を接合し、つぎに、ボタンあるいはボタンホールのある接合テープが周囲に付いた（図示せず）ＰＦＬ２とＰＦＬ３とを接合してパンツの前の部分を作製し、同様にして後ろの部分（図示せず）を作製した後、前の部分と後ろの部分を接合することによりパンツを作製する。
同様にして、図１３、１４に示すパンツを作製する。
この図のパンツにおいては、ＰＦＲ９、ＰＦＬ９、ＰＢＲ９、ＰＢＬ９から下を接合しなければ３部丈になり、ＰＦＲ１０、ＰＦＬ１０、ＰＢＲ１０、ＰＢＬ１０から下を接合しなければ５部丈になり、ＰＦＲ１１、ＰＦＬ１１、ＰＢＲ１１、ＰＢＬ１１を接合しなければ７部丈に、とすることにより、用途、季節に合わせて変化を楽しむこともできる。
違うパンツのピースのものを前後で配置したりすることによりさらに変化を楽しむことができる。
また、前右側ＰＦＲ１２にＰＦＲ１３を接合し、前左側ＰＦＬ１２にＰＦＬ１３を接合したものと、後右側ＰＢＲ１２にＰＢＲ１３を接合し、後左側にＰＢＬ１２にＰＢＬ１３を接合したもの、そしてこの４箇所のブロックになったピースを、前はＰＦＲ１２とＰＦＬ１２とを接合し、サイドはＰＦＲ１３とＰＢＲ１３とを接合し、ＰＦＲ１３とＰＦＬ１３とを接合する。後はＰＢＲ１２とＰＢＬ１２とを接合する。このようにしてパンツを作製する。また、ＰＦＲ１４、ＰＦＬ１４を外すことにより、変わったスタイルのパンツを作製することができる。
【００２０】
実施例４
図１５に示すように、ボタンあるいはボタンホールのある接合テープが周囲に付いた（図示せず）前部分のピースＫＦ７、ＫＦ８、ＫＦ９を接合し手前の部分を作製し、同様にしてボタンあるいはボタンホールのある接合テープが周囲に付いた（図示せず）後ろの部分（図示せず）を作製する。ついでこの前後の部分を接合することによりスカートを作製する。
また、同様にして、前部分はＫＦ１１、ＫＦ１０、ＫＦ１２を接合し、ＫＦ１３は接合しないことにより、前部分は短めのスカートで横から後にかけて長くなるデザインのスカートを作製することができる。
このように、ピースを省いたりして雰囲気を変え楽しむことができ、また、違うものを前後で配置したりすることがきる。
同様にして、図１６のスカートを作製する。
それぞれのピースの裏地には部位番号を、そしてすべてのピースの各縁には実寸を記すことが好ましい。実寸の記載を利用して、接合する部分の実寸が合えば、さまざまなピースを接合することができる。
たとえば、ピースの各縁に記してある実寸さえ合えば前後のピースを適当に選択することにより全く新しいスカートを作製することができる。
なお、このことはスカートに限定されるものではなく、すべてのピースの接合の際に活用できる。
【００２１】
実施例５
ボタンあるいはボタンホールのある接合テープが周囲に付いた（図示せず）前身頃のＦＲ１４、ＦＲ１５、ＦＬ１４、ＦＲ１５を接合し、同様にして後身頃（図示せず）を接合する。このようにして作製した前身頃と後身頃を接合してノースリーブの上着を作製する。
つぎに実施例４のようにしてスカートを作製する。
そして、作製したノースリーブの上着に、スカートを接合して  図１７に示すように、ワンピースを作製する。
いろいろな上着とスカートを接合することにより、多種のワンピースを作製することができる。
同様にして、上着とパンツを接合して、コンビネゾンやジャンプスーツを形成することができる。
【産業上の利用可能性】
【００２２】
この出願発明は、衣服用ピースに関するものであり、この出願発明のピースを利用することにより、簡単に好みにあった衣服を作製することができ、また、素材ごとに分けることにより、クリーニング、保管を効率的に行うことができ、しかも、消耗したピースを交換することにより省資源に貢献することができる。
【図面の簡単な説明】
【００２３】
【図１】上着の模式図。
【図２】袖の模式図。
【図３】パンツの模式図。
【図４】スカートの模式図。
【図５】この出願発明のピースを接合した上着。
【図６】この出願発明のピースを接合した他の上着。
【図７】この出願発明のピースを接合した他の上着。
【図８】この出願発明のピースを接合した他の上着。
【図９】この出願発明のピースを接合した他の上着。
【図１０】この出願発明のピースを接合した袖。
【図１１】この出願発明のピースを接合した他の袖。
【図１２】この出願発明のピースを接合したパンツ。
【図１３】この出願発明のピースを接合した他のパンツ。
【図１４】この出願発明のピースを接合した他のパンツ。
【図１５】この出願発明のピースを接合したスカート。
【図１６】この出願発明のピースを接合した他のスカート。
【図１７】この出願発明の上着とスカートを接合したワンピース。
【図１８】この出願発明のピースの接合を示す平面および側面の模式図。
【図１９】この出願発明のピースの他の接合を示す平面および側面の模式図。
【図２０】この出願発明のピースを接合した上着の模式図。
【符号の説明】
【００２４】
１  ピース
２  接合部を有するテープ
【図１】
0004526569.tif 000002
【図２】
0004526569.tif 000003
【図３】
0004526569.tif 000004
【図４】
0004526569.tif 000005
【図５】
0004526569.tif 000006
【図６】
0004526569.tif 000007
【図７】
0004526569.tif 000008
【図８】
0004526569.tif 000009
【図９】
0004526569.tif 000010
【図１０】
0004526569.tif 000011
【図１１】
0004526569.tif 000012
【図１２】
0004526569.tif 000013
【図１３】
0004526569.tif 000014
【図１４】
0004526569.tif 000015
【図１５】
0004526569.tif 000016
【図１６】
0004526569.tif 000017
【図１７】
0004526569.tif 000018
【図１８】
0004526569.tif 000019
【図１９】
0004526569.tif 000020
【図２０】
0004526569.tif 000021